(57)【要約】【課題】表示画像がどのような画像であるかを直感的に認識可能であり、画像閲覧の楽しさを十分に享受することのできる表示制御装置を提供する。【解決手段】表示制御装置２は、撮影位置、撮影距離、撮影方位に関する撮影情報に基づいて、撮影者の撮影地点の位置を表示領域内に設定し、該撮影地点に対する被写体の位置及び方位を判別可能とするように写真画像の配置位置を設定する。また、表示制御装置２は、撮影時間、撮影距離に関する撮影情報に基づいて、写真画像の表示態様（表示サイズ、表示画質）を可変設定する。【選択図】      図１
2007078842.tif 000002
【特許請求の範囲】
【請求項１】
表示装置に一又は複数の写真画像を配置して表示させる表示制御装置であって、
前記写真画像と、該写真画像に付加され、少なくとも撮影時間、撮影位置、撮影距離、撮影方位の情報を含む撮影情報とを記憶する記憶手段と、
前記撮影位置に基づいて撮影者の撮影地点の位置を表示領域内に設定し、該撮影地点に対する被写体の位置及び方位を判別可能とするように、前記撮影距離及び前記撮影方位に基づいて前記写真画像の配置位置を設定する配置設定手段と、
前記撮影距離及び前記撮影時間の少なくとも一方に基づいて前記写真画像の表示態様を可変設定する表示設定手段と、
前記配置設定手段及び前記表示設定手段による設定に基づいて前記撮影者の撮影地点と前記写真画像とを各々配置して前記表示装置に表示する表示データを作成する表示データ作成手段と、
を備えることを特徴とする表示制御装置。
【請求項２】
前記配置設定手段は、前記撮影地点に対する前記被写体の位置を真上からの視点で示す第１視点図、前記撮影地点に対する前記被写体の位置を真横からの視点で示す第２視点図及び前記撮影地点に対する前記被写体の位置を鳥瞰からの視点で示す第３視点図のうち、ユーザにより選択されたいずれか一の視点図に対して前記撮影地点の位置と前記写真画像の配置位置とを設定する、
請求項１記載の表示制御装置。
【請求項３】
前記配置設定手段は、前記第２視点図又は前記第３視点図では前記被写体に対する仰角を更に判別可能とするように前記写真画像の配置位置を設定する、
請求項２記載の表示制御装置。
【請求項４】
前記表示設定手段は、前記撮影距離又は前記撮影時間に応じて前記写真画像の表示サイズを設定するサイズ設定手段を含む、
請求項１乃至３のいずれか一項記載の表示制御装置。
【請求項５】
前記サイズ設定手段は、前記撮影距離が所定距離の写真画像の表示サイズを基準サイズに設定し、他の写真画像の表示サイズを前記基準サイズから前記撮影距離に応じて変更する、
請求項４記載の表示制御装置。
【請求項６】
前記サイズ設定手段は、前記撮影時間が所定時間の写真画像の表示サイズを基準サイズに設定し、他の写真画像の表示サイズを前記基準サイズから前記撮影時間に応じて変更する、
請求項４記載の表示制御装置。
【請求項７】
前記表示設定手段は、前記撮影距離又は前記撮影時間に応じて、画像のエッジ、濃度、透明度、色相、彩度及び明度のうち少なくともいずれか一のパラメータを調整することにより、前記写真画像の表示画質を設定する画質設定手段を含む、
請求項１乃至６のいずれか一項記載の表示制御装置。
【請求項８】
前記画質設定手段は、前記撮影距離が所定の撮影距離である写真画像の表示画質を基準画質に設定し、他の写真画像の表示画質を前記基準画質から前記撮影距離に応じて変更する、
請求項７記載の表示制御装置。
【請求項９】
前記画質設定手段は、前記撮影時間が所定の撮影時間である写真画像の表示画質を基準画質に設定し、他の写真画像の表示画質を前記基準画質から前記撮影時間に応じて変更する、
請求項７記載の表示制御装置。
【請求項１０】
前記画質設定手段は、前記写真画像の表示画質を該画像内の一部について部分的に変更する、
請求項７乃至９のいずれか一項記載の表示制御装置。
【請求項１１】
前記配置設定手段は、前記複数の写真画像が少なくとも一部分で重なり合う場合には、各写真画像の重ね合わせる順序を前記撮影時間に基づいて設定する、
請求項１乃至１０のいずれか一項記載の表示制御装置。
【請求項１２】
前記配置設定手段は、前記複数の写真画像が完全に重なり合う場合には、各写真画像の重ね合わせ位置を互いにずらして配置位置を設定する、
請求項１乃至１１のいずれか一項記載の表示制御装置。
【請求項１３】
前記写真画像の背景に設定する背景画像を前記撮影位置及び前記撮影時間の少なくとも一方に基づいて前記記憶手段又はネットワークを通じて外部より取得する背景取得手段を備えており、
前記表示データ作成手段は、前記背景画像の上に前記撮影者の撮影地点と前記写真画像とを各々配置して前記表示データを作成する、
請求項１乃至１２のいずれか一項記載の表示制御装置。
【請求項１４】
前記背景画像は、前記撮影位置に対応する地図もしくは風景画像、又は前記撮影時間に対応する撮影当時の時事に関する画像である、
請求項１３記載の表示制御装置。
【請求項１５】
少なくとも撮影時間、撮影位置、撮影距離及び撮影方位の情報が撮影情報として付加された写真画像を、前記撮影情報に基づいて表示装置に一又は複数配置して表示させる表示制御方法であって、
前記撮影位置に基づいて撮影者の撮影地点の位置を表示領域内に設定し、該撮影地点に対する被写体の位置及び方位を判別可能とするように、前記撮影距離及び前記撮影方位に基づいて前記写真画像の配置位置を設定するステップと、
前記撮影距離及び前記撮影時間の少なくとも一方に基づいて前記写真画像の表示態様を可変設定するステップと、
前記各ステップでの設定に基づいて前記撮影者の撮影地点と前記写真画像とを各々配置して前記表示装置に表示する表示データを作成するステップと、
を備えることを特徴とする表示制御方法。
【発明の詳細な説明】
【技術分野】
【０００１】
本発明は、表示制御装置及び表示制御方法にかかり、詳しくは、表示装置に一又は複数の写真を配置して表示させる際に使用して好適な技術に関する。
【背景技術】
【０００２】
従来、デジタルカメラ等により撮影した画像（写真画像）をパソコン等のコンピュータに読み込んで画面表示を行うためのアプリケーションソフトが種々知られている（例えば特許文献１参照）。
【０００３】
この種のソフトウェアは、通常、メディア内に保存されている元画像を所定の大きさに縮小した、いわゆるサムネイルと呼ばれる縮小画像を画面上に縦横マトリクス状（例えば縦３列×横３行）に並べて一覧表示する機能を有している。ユーザは、これら縮小画像（サムネイル）の中から所望の画像を選択することにより、その画像を加工したり、印刷を行ったりすることができる。
【特許文献１】特開２００４−１２６３３号公報
【発明の開示】
【発明が解決しようとする課題】
【０００４】
上記したように画像をサムネイルで表示する方法は、一度に多数の画像を表示することができるという利点がある。しかしその反面、サムネイルが単に羅列して表示されるのみであるため、その中にどのような画像が含まれているかを直感的に認識することが難しくなり、目的の画像を容易に探し出すことができないという問題があった。また、機械的に並んだ画像を一枚ずつ確認するだけの閲覧方法であるため、画像を見る楽しさを十分に味わうことができず、この点においてもなお改善の余地を残すものとなっていた。
【０００５】
本発明は、こうした従来の実情に鑑みてなされたものであって、その目的は、表示される画像がどのような画像であるかを直感的に認識可能であるとともに、画像閲覧の楽しさを十分に享受することができる表示制御装置及び表示制御方法を提供することにある。
【課題を解決するための手段】
【０００６】
上記の目的を達成するため、本発明の第１の態様は、表示装置に一又は複数の写真画像を配置して表示させる表示制御装置であって、前記写真画像と、該写真画像に付加され、少なくとも撮影時間、撮影位置、撮影距離、撮影方位の情報を含む撮影情報とを記憶する記憶手段と、前記撮影位置に基づいて撮影者の撮影地点の位置を表示領域内に設定し、該撮影地点に対する被写体の位置及び方位を判別可能とするように、前記撮影距離及び前記撮影方位に基づいて前記写真画像の配置位置を設定する配置設定手段と、前記撮影距離及び前記撮影時間の少なくとも一方に基づいて前記写真画像の表示態様を可変設定する表示設定手段と、前記配置設定手段及び前記表示設定手段による設定に基づいて前記撮影者の撮影地点と前記写真画像とを各々配置して前記表示装置に表示する表示データを作成する表示データ作成手段と、を備えることを要旨とする。
【０００７】
この構成によれば、撮影地点に対する被写体の位置及び方位を写真画像の配置位置から判別することができるため、表示される画像がどのような画像であるかを直感的に認識することができる。また、写真画像の表示態様が撮影距離や撮影時間に応じて変更されるため、写真画像が複数配置される場合にもそれら各画像がどのような画像であるかを直感的に認識することができる。その結果、目的の画像を容易に探し出すことができるようになるだけでなく、画像の閲覧を撮影当時の情景を思い出しながら楽しんで行うことができるようになる。これにより、画像閲覧の楽しみを倍増させることができる。
【０００８】
上記構成の表示制御装置においては、前記配置設定手段は、前記撮影地点に対する前記被写体の位置を真上からの視点で示す第１視点図、前記撮影地点に対する前記被写体の位置を真横からの視点で示す第２視点図及び前記撮影地点に対する前記被写体の位置を鳥瞰からの視点で示す第３視点図のうち、ユーザにより選択されたいずれか一の視点図に対して前記撮影地点の位置と前記写真画像の配置位置とを設定する、といった態様を採用することができる。この構成によれば、第１〜第３視点図の３つの表示形態からいずれか一を選択可能とさせることで、画像閲覧の楽しみをより倍増させることができる。
【０００９】
上記構成の表示制御装置においては、前記配置設定手段は、前記第２視点図又は前記第３視点図では、前記被写体に対する仰角を更に判別可能とするように前記写真画像の配置位置を設定する、といった態様を採用することができる。この構成によれば、写真画像の配置位置から被写体に対する仰角を更に判別することができるようになるため、被写体の位置をより正確に把握することができるようになる。
【００１０】
上記構成の表示制御装置においては、前記表示設定手段は、前記撮影距離又は前記撮影時間に応じて前記写真画像の表示サイズを設定するサイズ設定手段を含む、といった態様を採用することができる。この構成によれば、写真画像の撮影距離や撮影時間をその表示サイズによって把握することができるようになる。
【００１１】
上記構成の表示制御装置においては、前記サイズ設定手段は、前記撮影距離が所定距離の写真画像の表示サイズを基準サイズに設定し、他の写真画像の表示サイズを前記基準サイズから前記撮影距離に応じて変更する、といった態様を採用することができる。こうすれば、撮影距離に応じて表示サイズを大きく又は小さくすることができる。
【００１２】
上記構成の表示制御装置においては、前記サイズ設定手段は、前記撮影時間が所定時間の写真画像の表示サイズを基準サイズに設定し、他の写真画像の表示サイズを前記基準サイズから前記撮影時間に応じて変更する、といった態様を採用することができる。こうすれば、撮影時間に応じて表示サイズを大きく又は小さくすることができる。
【００１３】
上記構成の表示制御装置においては、前記表示設定手段は、前記撮影距離又は前記撮影時間に応じて、画像のエッジ、濃度、透明度、色相、彩度及び明度のうち少なくともいずれか一のパラメータを調整することにより、前記写真画像の表示画質を設定する画質設定手段を含む、といった態様を採用することができる。この構成によれば、写真画像の撮影距離や撮影時間をその表示画質によって把握することができるようになる。
【００１４】
上記構成の表示制御装置においては、前記画質設定手段は、前記撮影距離が所定の撮影距離である写真画像の表示画質を基準画質に設定し、他の写真画像の表示画質を前記基準画質から前記撮影距離に応じて変更する、といった態様を採用することができる。こうすれば、撮影距離に応じて表示画質を変更することができる。
【００１５】
上記構成の表示制御装置においては、前記画質設定手段は、前記撮影時間が所定の撮影時間である写真画像の表示画質を基準画質に設定し、他の写真画像の表示画質を前記基準画質から前記撮影時間に応じて変更する、といった態様を採用することができる。こうすれば、撮影時間に応じて表示画質を変更することができる。
【００１６】
上記構成の表示制御装置においては、前記画質設定手段は、前記写真画像の表示画質を該画像内の一部について部分的に変更する、といった態様を採用することができる。こうすれば、画像の表示効果を高めることができる。
【００１７】
上記構成の表示制御装置においては、前記配置設定手段は、前記複数の写真画像が少なくとも一部分で重なり合う場合には、各写真画像を重ね合わせる順序を前記撮影時間に基づいて設定する、といった態様を採用することができる。このように、各写真画像の重ね合わせ順序を撮影時間に基づいて決定すれば、下に重ね合わせられている写真画像が把握し易くなる。
【００１８】
上記構成の表示制御装置においては、前記配置設定手段は、前記複数の写真画像が完全に重なり合う場合には、各写真画像の重ね合わせ位置を互いにずらして配置位置を設定する、といった態様を採用することができる。このように、重ね合わせ位置を互いにずらして配置すれば、下に重ね合わせられている写真画像の存在を把握することができ、何枚の画像が重なっているのかが分かるようになる。
【００１９】
上記構成の表示制御装置においては、前記写真画像の背景に設定する背景画像を前記撮影位置及び前記撮影時間の少なくとも一方に基づいて前記記憶手段又はネットワークを通じて外部より取得する背景取得手段を備えており、前記表示データ作成手段は、前記背景画像の上に前記撮影者の撮影地点と前記写真画像とを各々配置して前記表示データを作成する、といった態様を採用することができる。この構成によれば、背景画像を追加することで、画像閲覧の楽しみを一層倍増させることができる。
【００２０】
上記構成の表示制御装置においては、前記背景画像は、前記撮影位置に対応する地図もしくは風景画像、又は前記撮影時間に対応する撮影当時の時事に関する画像である、といった態様を採用することができる。このように、撮影位置や撮影時間に対応した背景画像を選定することで、撮影当時の情景をより鮮明に思い出しながら画像閲覧を行うことができる。
【００２１】
本発明の第２の態様は、少なくとも撮影時間、撮影位置、撮影距離及び撮影方位の情報が撮影情報として付加された写真画像を、前記撮影情報に基づいて表示装置に一又は複数配置して表示させる表示制御方法であって、前記撮影位置に基づいて撮影者の撮影地点の位置を表示領域内に設定し、該撮影地点に対する被写体の位置及び方位を判別可能とするように、前記撮影距離及び前記撮影方位に基づいて前記写真画像の配置位置を設定するステップと、前記撮影距離及び前記撮影時間の少なくとも一方に基づいて前記写真画像の表示態様を可変設定するステップと、前記各ステップでの設定に基づいて前記撮影者の撮影地点と前記写真画像とを各々配置して前記表示装置に表示する表示データを作成するステップと、を備えることを要旨とする。この方法によれば、上記第１の態様と同様の効果を奏することができる。
【発明を実施するための最良の形態】
【００２２】
以下、本発明を具体化した一実施の形態を図１〜図１１に従って説明する。
図１は、本実施の形態の表示制御システム１の全体構成を示す機能ブロック図である。
表示制御システム１は表示制御装置２を備えている。表示制御装置２には操作装置３と表示装置４とが接続されているとともに、ネットワークとしてのインターネット５（図２参照）を介して外部コンピュータ６が接続されている。さらに、表示制御装置２には画像入力装置としてのデジタルカメラ７が接続されている。本実施の形態では、表示制御装置２はパーソナルコンピュータにより構成され、操作装置３はキーボード及びマウスにより構成され、表示装置４は液晶モニタにより構成されている。画像入力装置はデジタルカメラ７に限定されず、その他例えばカメラ内蔵型携帯電話機であってもよい。ネットワークも必ずしもインターネット５に限定されない。
【００２３】
表示制御装置２には、表示装置４への写真画像の配置及び表示を行うレイアウトソフト８（アプリケーションソフトウェア）と、各種データを記憶する記憶手段としてのデータベース９とが設けられている。データベース９には写真データファイルＦ１と背景データファイルＦ２とが格納されている。
【００２４】
表示制御装置２は、デジタルカメラ７の接続を検知すると、その機器を認識して該機器内部から写真データＤ１（図３参照）を取り込み、写真データファイルＦ１としてデータベース９に保存する。また、表示制御装置２は、写真画像を配置・表示する際の背景とする画像（背景画像）をインターネット５を通じて外部コンピュータ６から取得し、それを背景データファイルＦ２としてデータベース９に保存する。なお、外部コンピュータ６はネットワーク上に存在するウェブサーバであって、表示制御装置２からのデータ取得要求に応答して、対応するデータ（背景画像）を表示制御装置２に送信する。
【００２５】
レイアウトソフト８は、表示条件設定部１１、写真データ抽出部１２、付加情報分析部１３、配置設定部１４、サイズ設定部１５、画質設定部１６、写真配置部１７、表示出力部１８及び背景データ取得部１９を備える。なお、本実施の形態では、配置設定部１４が配置設定手段に対応し、サイズ設定部１５及び画質設定部１６が表示設定手段に対応し、写真配置部１７及び表示出力部１８が表示データ作成手段に対応し、背景データ取得部１９が背景取得手段に対応している。このうち、サイズ設定部１５はサイズ設定手段に対応し、画質設定部１６は画質設定手段に対応している。
【００２６】
表示条件設定部１１は、写真画像の抽出条件や写真画像の表示条件、画面表示（後述する視点図）の態様、背景取得条件等、各種表示条件を設定するための条件設定画面（図示略）を表示装置４上に表示し、操作装置３を通じてユーザにより設定された表示条件を他の各処理部に出力する。
【００２７】
写真データ抽出部１２は、条件設定画面で設定された抽出条件に従って、該当する写真データＤ１（写真データファイルＦ１）をデータベース９から検索、抽出する処理部である。なお、検索する方法は任意である。例えば、写真データＤ１に含まれる撮影情報Ｄ１２（図３参照）をキーに写真データＤ１を検索することもできる。
【００２８】
付加情報分析部１３は、写真データＤ１の撮影情報Ｄ１２（図３参照）を分析し、配置設定部１４、サイズ設定部１５、画質設定部１６及び背景データ取得部１９に各々必要な情報を受け渡す処理部である。
【００２９】
ここで、図３を参照して、写真データの構成を説明する。写真データＤ１は、デジタルカメラ７により撮影された画像データ（写真画像Ｄ１１）と、該写真画像Ｄ１１に対応して付加される撮影情報Ｄ１２とから構成されている。撮影情報Ｄ１２は、本実施の形態においては、撮影時間Ｄｔ、撮影位置Ｄｐ、撮影距離Ｄｘ及び撮影方位Ｄｄの情報を含む。これらの情報は、デジタルカメラ７により撮影時に自動生成されて写真画像Ｄ１１に付加される。
【００３０】
撮影時間Ｄｔは、写真画像Ｄ１１の撮影時間を表す時間情報であり、例えば、年、月、日、時、分、秒で記録される。
撮影位置Ｄｐは、被写体の撮影位置、即ち、撮影者の位置（以下、撮影地点という）を表す位置情報である。この撮影位置Ｄｐは、デジタルカメラ７に内蔵されるＧＰＳ（Global Positioning System ）センサによって取得され、緯度・経度情報で記録される。
【００３１】
撮影距離Ｄｘは、撮影地点（撮影位置Ｄｐ）から被写体までの距離を表す距離情報である。この撮影距離Ｄｘは、図４に示すように、写真画像Ｄ１１の撮影時における撮影位置Ｄｐから被写体の位置Ｏｓまでのピント距離（デジタルカメラ７内のピント情報）によって記録される。なお、図４におけるＸ軸，Ｙ軸はそれぞれ水平軸を示し、Ｚ軸は該水平軸に垂直な高さ方向の軸を示す（以下、図５においても同様）。
【００３２】
撮影方位Ｄｄは、撮影地点（撮影位置Ｄｐ）に対する被写体の方位（方角及び仰角θ（図４参照）を含む）を表す情報である。この撮影方位Ｄｄは、デジタルカメラ７に内蔵されるＧＰＳセンサやジャイロセンサによって取得される。
【００３３】
配置設定部１４は、付加情報分析部１３から撮影位置Ｄｐ、撮影距離Ｄｘ及び撮影方位Ｄｄの情報を受け取り、それらに基づいて表示領域内における撮影地点の位置と写真画像Ｄ１１の配置位置とを設定する処理部である。
【００３４】
詳しくは、先ず、配置設定部１４は、写真画像Ｄ１１を画面表示する際の態様として、後述する第１〜第３視点図Ｗ１〜Ｗ３（図６参照）のうちいずれの視点図による表示方法がユーザにより選択されているかを判断し、該ユーザにより選択されているいずれか一の視点図に対して、撮影者の撮影地点の位置を撮影位置Ｄｐに基づいて設定する。次いで、配置設定部１４は、この撮影地点の位置を基準として、該撮影地点に対する被写体の位置及び方位をそれぞれ判別可能とするように、写真画像Ｄ１１の配置位置を撮影距離Ｄｘと撮影方位Ｄｄとに基づいて設定する。
【００３５】
ここで、図５及び図６を参照して、第１〜第３視点図Ｗ１〜Ｗ３における写真画像Ｄ１１の配置態様について説明する。
図６（ａ）は、第１視点図Ｗ１を示す説明図である。
【００３６】
第１視点図Ｗ１は、撮影地点Ｐ１に対する被写体の位置Ｏｓを真上からの視点ＶＰ１で示し（図５（ａ）参照）、撮影地点Ｐ１に対する被写体の位置Ｏｓ（撮影距離Ｄｘ）及び被写体の方位Ｄｄをそれぞれ判別可能とするように、写真画像Ｄ１１を画面上に平面配置して表示するものである。この第１視点図Ｗ１において、被写体の方位Ｄｄは画面上側（紙面の上方向）を北にして表示され、撮影距離Ｄｘは所定の縮小比により縮尺されて表示される。被写体に対する仰角θは表示されない。なお、視点ＶＰ１の位置は、マウスにより画面上をドラッグ操作することによって、表示領域内の任意位置に変更することができる。
【００３７】
図６（ｂ）は、第２視点図Ｗ２を示す説明図である。
第２視点図Ｗ２は、撮影地点Ｐ１に対する被写体の位置Ｏｓを真横からの視点ＶＰ２で示し（図５（ｂ）参照）、撮影地点Ｐ１に対する被写体の位置Ｏｓ（撮影距離Ｄｘ）及び被写体の方位Ｄｄをそれぞれ判別可能とするように、写真画像Ｄ１１を画面上に平面配置して表示するものである。この第２視点図Ｗ２において、被写体の方位Ｄｄは画面奥側（紙面に対し鉛直下方向）を北にして表示され、撮影距離Ｄｘは所定の縮小比により縮尺されて表示される。また、被写体に対する仰角θも表示される。なお、視点ＶＰ２の位置は、前記と同様、マウスによるドラッグ操作によって、表示領域内の任意位置に変更することができる。その際、写真画像Ｄ１１の幅及び高さ方向の寸法が視点ＶＰ２の位置に応じて変化するようになっている。
【００３８】
図６（ｃ）は、第３視点図Ｗ３を示す説明図である。
第３視点図Ｗ３は、撮影地点Ｐ１に対する被写体の位置Ｏｓを鳥瞰による視点ＶＰ３で示し（図５（ａ）参照）、撮影地点Ｐ１に対する被写体の位置Ｏｓ（撮影距離Ｄｘ）及び被写体の方位Ｄｄをそれぞれ判別可能とするように、写真画像Ｄ１１を画面上に立体配置して表示するものである。この第３視点図Ｗ３において、被写体の方位Ｄｄは画面上側（紙面の上方向）を北にして表示され、撮影距離Ｄｘは所定の縮小比により縮尺されて表示される。また、被写体に対する仰角θも表示される。なお、視点ＶＰ３の位置は、前記と同様、マウスによるドラッグ操作によって、表示領域内の任意位置に変更することができる。その際、写真画像Ｄ１１の幅及び高さ方向の寸法が視点ＶＰ３の位置に応じて変化するようになっている。
【００３９】
サイズ設定部１５は、ユーザにより設定された表示条件に従って、付加情報分析部１３から撮影距離Ｄｘ又は撮影時間Ｄｔの情報を受け取り、それに基づいて写真画像Ｄ１１の表示サイズを設定する処理部である。
【００４０】
撮影距離Ｄｘに基づいて表示サイズを設定する場合、サイズ設定部１５は、図７に示す距離対応テーブルＴ１を使用して表示サイズの設定を行う。具体的には、配置対象とする写真画像のうち撮影距離Ｄｘの最も短い写真画像の表示サイズを基準サイズ（基準値）に設定し、それ以外の写真画像の表示サイズを各々の撮影距離Ｄｘ（基準値からの増分）に応じて基準サイズから順次変更（縮小）するようにする。例えば、基準サイズに設定した写真画像の撮影距離Ｄｘに対しそれよりも撮影距離Ｄｘが１００ｍ長い写真画像は、表示サイズが基準サイズの２０％の大きさに設定されるようになっている。
【００４１】
一方、撮影時間Ｄｔに基づいて表示サイズを設定する場合、サイズ設定部１５は、図８に示す時間対応テーブルＴ２を使用して表示サイズの設定を行う。具体的には、配置対象とする写真画像のうち最も最近に撮影された時間情報（撮影時間Ｄｔ）を持つ写真画像の表示サイズを基準サイズ（基準値）に設定し、それ以外の写真画像の表示サイズを各々の撮影時間Ｄｔ（基準値からの増分）に応じて基準サイズから順次変更（縮小）するようにする。例えば、基準サイズに設定した写真画像の撮影時間Ｄｔに対しそれよりも撮影時間Ｄｔが５０年経過している写真画像は、表示サイズが基準サイズの２０％の大きさに設定されるようになっている。なお、上記いずれの場合も、配置対象とする写真画像が１枚の場合は、表示サイズが基準サイズに設定される。
【００４２】
画質設定部１６は、ユーザにより設定された表示条件に従って、付加情報分析部１３から撮影距離Ｄｘ又は撮影時間Ｄｔの情報を受け取り、それに基づいて写真画像Ｄ１１の表示画質を設定する処理部である。具体的には、撮影距離Ｄｘ又は撮影時間Ｄｔに応じて、エッジ（画像のぼけ具合）、濃度、透明度、色相、彩度及び明度のパラメータを調整することにより、写真画像Ｄ１１の表示画質を設定する。なお、各パラメータ（６種類）における調整手法については、周知の画像処理技術を任意に用いることができるため、ここでは詳細な説明を省略する。
【００４３】
撮影距離Ｄｘに基づいて表示画質を設定する場合、画質設定部１６は、図７に示す距離対応テーブルＴ１を使用して画質の設定を行う。具体的には、配置対象とする写真画像のうち、撮影距離Ｄｘの最も短い写真画像の表示画質を基準画質（基準値）に設定し、それ以外の写真画像の表示画質を各々の撮影距離Ｄｘ（基準値からの増分）に応じて基準画質から以下のように変更する。なお、ここに例示する画質の調整例は、人間の感性に呼応して撮影距離Ｄｘの大小（遠近）を人間の感覚に直接的に訴えられる表示効果が得られるものである。
【００４４】
エッジ：距離が遠くなるほど、エッジをぼかす。
濃度：距離が遠くなるほど、濃度を落とす。
透明度：距離が遠くなるほど、透明度を上げる。
【００４５】
色相：距離が遠くなるほど、青く霞んだ色とする。
彩度：距離が遠くなるほど、彩度を落とす。
明度：距離が遠くなるほど、暗くする。
【００４６】
一方、撮影時間Ｄｔに基づいて表示画質を設定する場合、画質設定部１６は、図８に示す時間対応テーブルＴ２を使用して画質の設定を行う。具体的には、配置対象とする写真画像のうち、最も最近に撮影された時間情報（撮影時間Ｄｔ）を持つ写真画像の表示画質を基準画質（基準値）に設定し、それ以外の写真画像の表示画質を各々の撮影時間Ｄｔ（基準値からの増分）に応じて基準画質から以下のように変更する。なお、ここに例示する画質の調整例は、人間の感性に呼応して撮影時間Ｄｔの大小（時間の経過）を人間の感覚に直接的に訴えられる表示効果が得られるものである。
【００４７】
エッジ：昔に撮影されたものほど、エッジをぼかす。
濃度：昔に撮影されたものほど、濃度を落とす。
透明度：昔に撮影されたものほど、透明度を上げる。
【００４８】
色相：昔に撮影されたものほど、セピア調とする。
彩度：昔に撮影されたものほど、彩度を落とす。
明度：昔に撮影されたものほど、暗くする。
【００４９】
なお、上記いずれの場合も、配置対象とする写真画像が１枚の場合には、その表示画質が基準画質に設定される。
ちなみに、本実施の形態においては、表示画質を画像全体について変更するようにしたが、例えば画像内における一部分を部分的に変更するようにしてもよい。また、各パラメータ（６種類）の全てを変更するようにしたが、これら各パラメータのうち少なくとも一つを変更するようにしてもよい。
【００５０】
写真配置部１７は、配置設定部１４、サイズ設定部１５及び画質設定部１６における各処理結果（設定値）に基づいて、撮影地点Ｐ１と写真画像Ｄ１１とを画面上の表示領域内に各々配置してレイアウトデータを作成する処理部である。作成されたレイアウトデータは、表示出力部１８に受け渡される。
【００５１】
背景データ取得部１９は、ユーザにより設定された背景取得条件に従い、付加情報分析部１３から撮影位置Ｄｐ又は撮影時間Ｄｔの情報を受け取り、その情報を基にインターネット５を通じて外部コンピュータ６より背景画像を取得する処理部である。本実施の形態においては、撮影位置Ｄｐに基づいて背景画像を取得する場合、背景データ取得部１９は、当該撮影位置Ｄｐ（撮影地点）に対応する地図画像もしくは風景画像を背景画像として取得する。一方、撮影時間Ｄｔに基づいて背景画像を取得する場合、背景データ取得部１９は、当該撮影時間Ｄｔに対応する撮影当時の時事に関する画像を背景画像として取得する。
【００５２】
表示出力部１８は、写真配置部１７により作成されたレイアウトデータと、背景データ取得部１９により取得された背景画像（背景データ）とに基づいて、該レイアウトデータを該背景画像上に重ね合わせ、表示装置４に表示する表示データを作成する処理部である。この表示データが表示装置４に出力される。これにより、表示装置４の画面上に写真が表示出力される。
【００５３】
図２は、表示制御装置２のハードウェア構成を示すブロック図である。
表示制御装置２は、ＣＰＵ２１、メモリ２２、記憶装置２３、ドライブ装置２４、入力インターフェース（Ｉ／Ｆ）２５、ＵＳＢＩ／Ｆ２６、通信装置２７及び出力Ｉ／Ｆ２８を備え、それらはバス２９を介して相互に接続されている。
【００５４】
ＣＰＵ２１は、記憶装置２３に格納されているプログラムやデータをメモリ２２へ転送し、同メモリ２２を利用してプログラムを実行する。メモリ２２はＲＯＭ、ＲＡＭ等により構成され、これには通常、キャッシュメモリ、システムメモリ、ディスプレイメモリ等が含まれる。記憶装置２３は、磁気ディスク装置、光ディスク装置、光磁気ディスク装置等により構成される。前述したレイアウトソフト８にかかるプログラム及び同プログラムの実行に必要なデータも記憶装置２３に格納されている。ＣＰＵ２１は、同プログラムを実行することにより、表示条件設定部１１、写真データ抽出部１２、付加情報分析部１３、配置設定部１４、サイズ設定部１５、画質設定部１６、写真配置部１７、表示出力部１８及び背景データ取得部１９としての各機能を実現する。本実施の形態においては、この記憶装置２３は、データベース９（記憶手段）としても利用される。
【００５５】
入力Ｉ／Ｆ２５には操作装置３が接続され、操作装置３からの操作入力に対応した操作信号をＣＰＵ２１に送出する。ＵＳＢＩ／Ｆ２６にはデジタルカメラ７が挿抜可能に接続される。出力Ｉ／Ｆ２８には表示装置４が接続され、ＣＰＵ２１による制御の下、作成された表示データを表示装置４に出力する。通信装置２７（通信手段）はインターネット５への接続に用いられ、通信に伴うデータ変換等を行って外部コンピュータ６との間でプログラムやデータの送受信を行う。
【００５６】
ＣＰＵ２１が実行するプログラムやデータは、記録媒体３０にて提供される。ドライブ装置２４は、記録媒体３０を駆動してその記録内容にアクセスし、記録媒体３０からプログラムやデータを読み出して記憶装置２３に格納する。記録媒体３０には、光ディスクや光磁気ディスク等の媒体の他、通信装置２７を介して他のネットワーク機器からアップロード又はダウンロードしたプログラムを記録した媒体、ディスク装置等も含まれる。
【００５７】
次に、上記構成の表示制御システム１による写真画像の表示例を説明する。ここでは、表示サイズを撮影時間Ｄｔに基づき設定し、表示画質を撮影距離Ｄｘに基づき設定して、２枚の写真画像Ｄ１１ａ，Ｄ１１ｂの配置を行う場合について説明する。なお、写真画像Ｄ１１ａは、写真画像Ｄ１１ｂよりも撮影距離Ｄｘが遠く、撮影時間Ｄｔが新しいものとする。
【００５８】
図９は、第１視点図Ｗ１（真上からの視点）による表示例を示す画面図である。
背景画像Ｂ１は、撮影位置Ｄｐに基づいて取得された地図画像であり、この地図画像（Ｂ１）の上に、撮影者の撮影地点Ｐ１ａ，Ｐ１ｂと、それぞれ対応する写真画像Ｄ１１ａ，Ｄ１１ｂとが、撮影位置Ｄｐ、撮影距離Ｄｘ及び撮影方位Ｄｄに基づいて配置されている。写真画像Ｄ１１ａ，Ｄ１１ｂの表示サイズは、各々の撮影時間Ｄｔに基づいて、写真画像Ｄ１１ａが基準サイズ、写真画像Ｄ１１ｂが写真画像Ｄ１１ａ（基準サイズ）よりも小さなサイズに設定されている。また、写真画像Ｄ１１ａ，Ｄ１１ｂの表示画質は、各々の撮影距離Ｄｘに基づいて、写真画像Ｄ１１ｂが基準画質、写真画像Ｄ１１ａが写真画像Ｄ１１ｂ（基準画質）に対して各パラメータをそれぞれ変化させた画質に設定されている。このような第１視点図Ｗ１では、撮影地点Ｐ１ａ，Ｐ１ｂに対する写真画像Ｄ１１ａ，Ｄ１１ｂ中の被写体の位置及び被写体の撮影方位を判別することができる。
【００５９】
図１０は、第２視点図Ｗ２（真横からの視点）による表示例を示す画面図である。
背景画像Ｂ２は、撮影位置Ｄｐに基づいて取得された風景画像であり、この風景画像（Ｂ２）の上に、撮影者の撮影地点Ｐ１ａ，Ｐ１ｂと、それぞれ対応する写真画像Ｄ１１ａ，Ｄ１１ｂとが、撮影位置Ｄｐ、撮影距離Ｄｘ及び撮影方位Ｄｄに基づいて配置されている。なお、各写真画像Ｄ１１ａ，Ｄ１１ｂの表示サイズ及び表示画質は図９と同じである。このような第２視点図Ｗ２では、撮影地点Ｐ１ａ，Ｐ１ｂに対する写真画像Ｄ１１ａ，Ｄ１１ｂ中の被写体の位置及び被写体の撮影方位（仰角含む）を判別することができる。
【００６０】
図１１は、第３視点図Ｗ３（鳥瞰による視点）による表示例を示す画面図である。
背景画像Ｂ３は、撮影位置Ｄｐに基づいて取得された地図画像であり、この地図画像（Ｂ３）の上に、撮影者の撮影地点Ｐ１ａ，Ｐ１ｂと、それぞれ対応する写真画像Ｄ１１ａ，Ｄ１１ｂとが、撮影位置Ｄｐ、撮影距離Ｄｘ及び撮影方位Ｄｄに基づいて配置されている。なお、各写真画像Ｄ１１ａ，Ｄ１１ｂの表示サイズ及び表示画質は図９と同じである。このような第３視点図Ｗ３では、撮影地点Ｐ１ａ，Ｐ１ｂに対する写真画像Ｄ１１ａ，Ｄ１１ｂ中の被写体の位置及び被写体の撮影方位（仰角含む）を判別することができる。
【００６１】
以上記述したように、本実施の形態によれば、以下の効果を奏する。
（１）撮影地点Ｐ１（Ｐ１ａ，Ｐ１ｂ）に対する被写体の位置や方位を写真画像Ｄ１１（Ｄ１１ａ，Ｄ１１ｂ）の配置位置から判別することが可能となる。これにより、表示される画像Ｄ１１がどのような画像であるかを直感的に認識し易くなる。
【００６２】
（２）写真画像Ｄ１１（Ｄ１１ａ，Ｄ１１ｂ）の表示態様（表示サイズ、表示画質）が撮影距離Ｄｘや撮影時間Ｄｔに応じて変更されることにより、写真画像Ｄ１１が複数配置される場合にも、それら各画像Ｄ１１がどのような画像であるかを直感的に認識し易くなる。
【００６３】
（３）各画像Ｄ１１（Ｄ１１ａ，Ｄ１１ｂ）間で表示サイズや表示画質が変更されることにより、目的の画像を容易に探し出すことができるようになる。
（４）各画像Ｄ１１（Ｄ１１ａ，Ｄ１１ｂ）間で表示サイズや表示画質が変更されることにより、写真画像Ｄ１１の閲覧を撮影当時の情景を思い出しながら楽しんで行うことができるようになる。これにより、画像閲覧の楽しみを倍増させることができる。
【００６４】
（５）第１〜第３視点図Ｗ１〜Ｗ３のそれぞれ異なる視点による表示に選択的に切替え可能としたため、画像閲覧の楽しみをより倍増させることができる。
（６）撮影地点Ｐ１（Ｐ１ａ，Ｐ１ｂ）や写真画像Ｄ１１（Ｄ１１ａ，Ｄ１１ｂ）を、撮影位置Ｄｐや撮影時間Ｄｔに基づき取得した背景画像（地図画像や背景画像）の上に重ね合わせて配置することで、写真画像Ｄ１１の内容がより把握し易くなるとともに、撮影当時の情景をより鮮明に思い出しながら閲覧することができるようになる。これにより、画像閲覧の楽しみを一層倍増させることができる。
【００６５】
なお、上記実施の形態は、以下の変形例の態様で実施してもよい。
（変形例１）レイアウトソフト８に具備する機能（１１〜１９）の分散／統合の態様は図１に示す態様に限定されない。
【００６６】
（変形例２）撮影位置Ｄｐ，撮影距離Ｄｘ、撮影方位Ｄｄの関係によって、複数の写真画像Ｄ１１が少なくとも一部分で互いに重なり合う位置に配置される場合には、それら各写真画像Ｄ１１のうち撮影時間Ｄｔが新しいものほど重ね順が上（又は下でもよい）になるように配置するといった態様を採用することもできる。その際、複数の写真画像が完全に重なり合う位置に配置される場合には、各写真画像の重ね合わせ位置を少しずつずらして配置位置を設定するとなおよい。例えば、記念撮影などで三脚を立てて写真を撮影する場合には、撮影する位置、距離、方位が同じのままで時間のみが異なって複数枚の写真が撮影されることが考えられる。このとき、各写真画像Ｄ１１の重ね順がランダムになっていたり、完全に重なり合って配置されていたりすると、下に配置されているものの存在が分かり難くなるが、本変形例２の様に、重ね順が撮影時間Ｄｔの順となっていたり、互いの重ね合わせ位置がずらして配置されていれば、それが把握し易くなる。なお、これらの機能は配置設定手段の機能として実現できる。
【００６７】
（変形例３）写真画像Ｄ１１の表示態様として表示サイズと表示画質とをそれぞれ変更するようにしたが、それらのうちいずれか一方のみを変更するようにしても勿論よい。
（変形例４）撮影距離Ｄｘが最も短いものを基準サイズ、基準画質とすることに限定されない。例えば、所定距離範囲内に含まれるものを全て基準サイズ、基準画質としてもよい。
【００６８】
（変形例５）撮影時間Ｄｔが最も新しいものを基準サイズ、基準画質とすることに限定されない。例えば、所定時間範囲内に含まれるものを全て基準サイズ、基準画質としてもよい。
【００６９】
（変形例６）撮影情報Ｄ１２はデジタルカメラ７により自動生成される態様に限らず、ユーザが手動で付加してもよい。
（変形例７）撮影地点Ｐ１のマーク形状は任意である。
【００７０】
（変形例８）第１，３視点図Ｗ１，Ｗ３では、画面上方向を北とすることに限定されない。ユーザが画面上で指定した方向を北としてもよい。
（変形例９）背景画像をデータベース９から取得するようにしてもよい。例えば、配置する写真画像Ｄ１１とは別の写真画像（撮影位置Ｄｐや撮影時間Ｄｔに関連性のある画像）を背景画像に選択することもできる。
【００７１】
（変形例１０）背景画像を撮影位置Ｄｐ及び撮影時間Ｄｔの双方の情報に基づいて取得（インターネット５上から検索）するようにしてもよい。
（変形例１１）背景画像は必ずしも必須ではない。
【００７２】
（変形例１２）表示制御装置２はパーソナルコンピュータに限定されない。操作装置３もキーボードやマウスのみに限定されない。
（変形例１３）その他上記実施の形態及び上記各変形例の構成における設計的事項は、本発明の技術的思想の範囲内において適宜変更することができる。
【図面の簡単な説明】
【００７３】
【図１】一実施の形態の表示制御システムの構成を示す機能ブロック図。
【図２】表示制御装置のハードウェア構成を示すブロック図。
【図３】写真データの構成を示す説明図。
【図４】撮影情報を説明する概念図。
【図５】（ａ），（ｂ）は視点位置を説明する概念図。
【図６】（ａ）は第１視点図（真上からの視点図）を示す説明図、（ｂ）は第２視点図（真横からの視点図）を示す説明図、（ｃ）は第３視点図（鳥瞰による視点図）を示す説明図。
【図７】距離対応テーブルを説明する概念図。
【図８】時間対応テーブルを説明する概念図。
【図９】第１視点図による表示例を示す画面図。
【図１０】第２視点図による表示例を示す画面図。
【図１１】第３視点図による表示例を示す画面図。
【符号の説明】
【００７４】
１：表示制御システム、２：表示制御装置、３：操作装置、４：表示装置、５：インターネット（ネットワーク）、６：外部コンピュータ、７：デジタルカメラ、８：レイアウトソフト、９：データベース（記憶手段）、１４：配置設定部（配置設定手段）、１５：サイズ設定部（サイズ設定手段、表示設定手段）、１６：画質設定部（画質設定手段、表示設定手段）、１７：写真配置部（表示データ作成手段）、１８：表示出力部（表示データ作成手段）、１９：背景データ取得部（背景取得手段）、Ｔ１：距離対応テーブル、Ｔ２：時間対応テーブル、Ｆ１：写真データファイル、Ｆ２：背景データファイル、Ｄ１：写真データ、Ｂ１，Ｂ２，Ｂ３：背景画像、Ｄ１１，Ｄ１１ａ，Ｄ１１ｂ：写真画像、Ｄ１２：撮影情報、Ｄｔ：撮影時間、Ｄｐ：撮影位置、Ｄｘ：撮影距離、Ｄｄ：撮影方位、Ｏｓ：被写体の位置、θ：仰角、Ｐ１，Ｐ１ａ，Ｐ１ｂ：撮影地点、Ｗ１：第１視点図、Ｗ２：第２視点図、Ｗ３：第３視点図、ＶＰ１，ＶＰ２，ＶＰ３：視点。
【図１】
2007078842.tif 000003
【図２】
2007078842.tif 000004
【図３】
2007078842.tif 000005
【図４】
2007078842.tif 000006
【図５】
2007078842.tif 000007
【図６】
2007078842.tif 000008
【図７】
2007078842.tif 000009
【図８】
2007078842.tif 000010
【図９】
2007078842.tif 000011
【図１０】
2007078842.tif 000012
【図１１】
2007078842.tif 000013